(57)【特許請求の範囲】
【請求項１】
撮影レンズの前方を覆う閉位置と、
前記撮影レンズの前方を開放する開位置との間を移動可能なレンズバリアと、
前記レンズバリアの開閉状態を検出する開閉検出手段と、
外部機器との間でデータの受け渡しを行うための通信手段と、
前記通信手段によって前記外部機器と通信接続されているか否かの判定を行う手段と、
前記通信手段による前記外部機器との通信接続の有無と前記開閉検出手段の検出結果に基づいて、動作モードを自動的に切り換えるモード切換制御手段と、を備え、
前記モード切換制御手段は、前記通信手段によって前記外部機器と通信接続されている場合に、前記開閉検出手段の検出結果に基づいて、２種類の異なるデバイスクラスのうち当該通信接続において動作させるデバイスクラスに対応した通信動作モードに設定することを特徴とするカメラ。
【請求項２】
前記カメラは、前記撮影レンズを介して入射する光学像を電気信号に変換する撮像手段と、前記撮像手段で撮像した画像を記録媒体に記録する記録手段と、を備えたデジタルカメラであって、該デジタルカメラは、
前記通信手段による通信動作モードとして、通信接続中に撮影を実施することなく前記外部機器側から前記記録媒体を読み書きし得る第１の通信動作モードと、
通信接続中に撮影を実施してその画像データを前記外部機器側に送出する第２の通信動作モードとを有し、
前記モード切換制御手段は、前記レンズバリアが閉状態の場合は前記第１の通信動作モードに設定する一方、前記レンズバリアが開状態の場合は前記第２の通信動作モードに設定することを特徴とする請求項１に記載のカメラ。
【請求項３】
撮影レンズの前方を覆う閉位置と、
前記撮影レンズの前方を開放する開位置との間を移動可能なレンズバリアと、
前記レンズバリアの開閉状態を検出する開閉検出手段と、
撮影動作を伴わずに、外部から入力される情報を記録媒体に記録する撮影外情報記録手段と、
前記通信手段によって前記外部機器と通信接続されているか否かの判定を行う手段と、
前記通信手段による前記外部機器との通信接続の有無と前記開閉検出手段の検出結果に基づいて、動作モードを自動的に切り換えるモード切換制御手段と、を備え、
前記モード切換制御手段は、前記通信手段によって前記外部機器と通信接続されていない場合に、前記開閉検出手段の検出結果に基づき、前記レンズバリアが開状態の場合には撮影を実施し得る第１のカメラ動作モードに設定する一方、前記レンズバリアが閉状態の場合には前記撮影外情報記録手段による記録動作を実施し得る第２のカメラ動作モードに設定するようにカメラ動作モードを自動的に切り換えるモード切換制御手段と、を備えたことを特徴とするカメラ。
【請求項４】
前記カメラは、前記撮影レンズを介して入射する光学像を電気信号に変換する撮像手段と、前記撮像手段で撮像した画像を前記記録媒体又は他の記録媒体に記録する記録手段と、音声を電気信号に変換して取り込む音声入力手段と、を備えたデジタルカメラであって、該デジタルカメラは、
前記撮像手段で撮像した画像を前記音声入力手段から取得される音声とともに動画として記録する前記第１のカメラ動作モードとしてのムービーモードと、
前記音声入力手段から取得される音声を記録する前記第２のカメラ動作モードとしてのボイスレコーダモードとを有し、前記レンズバリアの開閉状態に応じて前記ムービーモード又は前記ボイスレコーダモードのモード切り換えが行われることを特徴とする請求項３に記載のカメラ。
【請求項５】
前記カメラは、ユーザ操作に応じてカメラ動作モードを切り換え可能なモード切換操作手段を有し、前記モード切換操作手段における選択ポジションとして前記第１のカメラ動作モードと前記第２のカメラ動作モードとは共通のポジションが割り当てられており、前記モード切換操作手段によって当該共通のポジションが選択された場合に、前記モード切換制御手段によってカメラ動作モードが決定されることを特徴とする請求項３又は４に記載のカメラ。
【請求項６】
撮影レンズの前方を覆う閉位置と、前記撮影レンズの前方を開放する開位置との間を移動可能なレンズバリアの開閉状態を把握するとともに、外部機器と通信接続されているか否かの判定を行い、前記外部機器と通信接続されていると判定した場合に、前記把握したレンズバリアの開閉状態に応じて、２種類の異なるデバイスクラスのうち当該通信接続において動作させるデバイスクラスに対応した通信動作モードを自動的に選択するように、前記外部機器との通信接続の有無と前記レンズバリアの開閉状態に応じて通信動作モードを切り換えることを特徴とするカメラのモード切換方法。
【請求項７】
前記通信動作時の動作モードとして、通信接続中に撮影を実施しない第１の通信動作モードと、通信接続中に撮影を実施する第２の通信動作モードとを用意し、前記レンズバリアが閉状態のときには前記第１の通信動作モードに設定する一方、前記レンズバリアが開状態のときには前記第２の通信動作モードに設定することを特徴とする請求項６に記載のカメラのモード切換方法。
【請求項８】
撮影レンズの前方を覆う閉位置と、前記撮影レンズの前方を開放する開位置との間を移動可能なレンズバリアの開閉状態を把握するとともに、外部機器と通信接続されているか否かの判定を行い、前記外部機器と通信接続されていないと判定した場合において、前記レンズバリアが開状態の場合には撮影を実施し得る第１のカメラ動作モードに設定する一方、前記レンズバリアが閉状態の場合には、撮影動作を伴わずに、外部から入力される音声や文字などの情報を記録する第２のカメラ動作モードに設定するように、前記外部機器との通信接続の有無と前記レンズバリアの開閉状態に応じてカメラ動作モードを切り換えることを特徴とするカメラのモード切換方法。
【請求項９】
前記モード切換制御手段により前記通信動作モードが設定された通信接続状態においては、当該通信接続中に通信動作モードの切り換えが禁止されることを特徴とする請求項１又は２に記載のカメラ。
【発明の詳細な説明】
【０００１】
【発明の属する技術分野】
本発明はカメラに係り、特に、撮影レンズを保護するためのレンズバリアを有するカメラの動作制御技術に関する。
【０００２】
【従来の技術】
デジタルカメラの分野では、ＵＳＢインターフェースを利用してカメラとパソコン（ＰＣ）を接続し、カメラからパソコン側に画像データを転送する技術が広く知られている。ＵＳＢ接続時のカメラの通信動作モードとしては、カメラ内の記録メディアをパソコンから読み書きできるカードリーダとしての機能（ストレージモード）と、パソコンに接続した状態で撮影を行い、その撮影映像をパソコン側に送出する画像取り込み装置としての機能（ＰＣカメラモード）とがあり、ＵＳＢ接続時のカメラ状態をメニュー画面等によって選択的に切り換えることができるように構成されている。
【０００３】
【発明が解決しようとする課題】
しかしながら、従来のカメラでは、ＵＳＢ接続時のカメラ状態を切り換えるためには、まず、カメラを立ち上げて、メニューを開き、そのメニュー画面から所望のモードを選択するという操作手順を踏む必要があり、操作が煩雑であった。また、手動式のレンズバリアを具備するカメラの場合、レンズバリアが閉じられている状態では、仮に、ＰＣカメラモードに設定されていても、映像を取り込むことができず、出力される映像も無画像（黒画面）であり、レンズバリアが閉じられていることをパソコン側に知らしめる必要がある。その方法としては、例えば、バリアが閉まっているという状態をパソコン側に通知する態様や、バリアが閉まっている状態を表す画像を転送する等の態様がある。
【０００４】
本発明はこのような事情に鑑みてなされたもので、レンズバリアの開閉状態に応じて適切な動作モードが自動的に選択されるカメラ及びそのモード切換方法を提供することを目的とする。
【０００５】
【課題を解決するための手段】
前記目的を達成するために、請求項１に記載のカメラは、撮影レンズの前方を覆う閉位置と、前記撮影レンズの前方を開放する開位置との間を移動可能なレンズバリアと、前記レンズバリアの開閉状態を検出する開閉検出手段と、外部機器との間でデータの受け渡しを行うための通信手段と、前記通信手段によって前記外部機器と通信接続されているか否かの判定を行う手段と、前記通信手段による前記外部機器との通信接続の有無と前記開閉検出手段の検出結果に基づいて、動作モードを自動的に切り換えるモード切換制御手段と、を備え、前記モード切換制御手段は、前記通信手段によって前記外部機器と通信接続されている場合に、前記開閉検出手段の検出結果に基づいて、２種類の異なるデバイスクラスのうち当該通信接続において動作させるデバイスクラスに対応した通信動作モードに設定することを特徴としている。
【０００６】
本発明によれば、パソコン等の外部機器とカメラを通信インターフェースによって通信可能に接続し、両者間で画像情報等の各種データを転送することができる。カメラは外部機器と通信を行う場合の動作モードとして、通信接続中に撮影を実施しない通信動作モードと、通信接続中に撮影を実施する通信動作モードとを有している。レンズバリアが閉じているときは撮影できず、撮影時には必ずレンズバリアが開かれることから、レンズバリアが閉状態ならば、撮影を伴わない通信動作モードに設定し、レンズバリアが開状態であれば、撮影を伴う通信動作モードに設定するように、通信動作モードを自動的に切り換える制御を行う。
【０００７】
例えば、通信手段としてＵＳＢインターフェースを適用し、レンズバリアが閉状態のときには、カメラ内の記録メディアをパソコン（ＰＣ）等がストレージデバイスとして認識して記録メディアを読み書きできるマスストレージクラスモード（以下、ストレージモードという。）に設定する一方、レンズバリアが開状態の時にはカメラで撮影した映像をリアルタイムで外部機器側に送出するＰＣカメラモードに設定するという態様がある。
【０００８】
本発明によれば、レンズバリアの状態検出に基づいて通信動作モードの設定を自動化したので、ユーザ操作を簡略化できる。
【０００９】
請求項２に示した態様に係るカメラは、前記撮影レンズを介して入射する光学像を電気信号に変換する撮像手段と、前記撮像手段で撮像した画像を記録媒体に記録する記録手段と、を備えたデジタルカメラであって、該デジタルカメラは、前記通信手段による通信動作モードとして、通信接続中に撮影を実施することなく前記外部機器側から前記記録媒体を読み書きし得る第１の通信動作モードと、通信接続中に撮影を実施してその画像データを前記外部機器側に送出する第２の通信動作モードとを有し、前記モード切換制御手段は、前記レンズバリアが閉状態の場合は前記第１の通信動作モードに設定する一方、前記レンズバリアが開状態の場合は前記第２の通信動作モードに設定することを特徴としている。
【００１０】
請求項３に記載のカメラは、撮影レンズの前方を覆う閉位置と、前記撮影レンズの前方を開放する開位置との間を移動可能なレンズバリアと、前記レンズバリアの開閉状態を検出する開閉検出手段と、撮影動作を伴わずに、外部から入力される情報を記録媒体に記録する撮影外情報記録手段と、前記通信手段によって前記外部機器と通信接続されているか否かの判定を行う手段と、前記通信手段による前記外部機器との通信接続の有無と前記開閉検出手段の検出結果に基づいて、動作モードを自動的に切り換えるモード切換制御手段と、を備え、前記モード切換制御手段は、前記通信手段によって前記外部機器と通信接続されていない場合に、前記開閉検出手段の検出結果に基づき、前記レンズバリアが開状態の場合には撮影を実施し得る第１のカメラ動作モードに設定する一方、前記レンズバリアが閉状態の場合には前記撮影外情報記録手段による記録動作を実施し得る第２のカメラ動作モードに設定するようにカメラ動作モードを自動的に切り換えるモード切換制御手段と、を備えたことを特徴としている。
【００１１】
本発明のカメラは、撮影機能の他に、音声記録或いは文字情報記録など撮影画像以外の情報（撮影外情報）を記録する機能が追加された多機能カメラであり、レンズバリアの開閉に応じて記録モードを自動的に切り換えている。これにより、ユーザによるモード選択の操作を簡略化できる。
【００１２】
本発明の一態様として、請求項４に記載のカメラは、前記撮影レンズを介して入射する光学像を電気信号に変換する撮像手段と、前記撮像手段で撮像した画像を前記記録媒体又は他の記録媒体に記録する記録手段と、音声を電気信号に変換して取り込む音声入力手段と、を備えたデジタルカメラであって、該デジタルカメラは、前記撮像手段で撮像した画像を前記音声入力手段から取得される音声とともに動画として記録する前記第１のカメラ動作モードとしてのムービーモードと、前記音声入力手段から取得される音声を記録する前記第２のカメラ動作モードとしてのボイスレコーダモードとを有し、前記レンズバリアの開閉状態に応じて前記ムービーモード又は前記ボイスレコーダモードのモード切り換えが行われることを特徴としている。
【００１３】
また、他の態様として、請求項５に記載のカメラは、ユーザ操作に応じてカメラ動作モードを切り換え可能なモード切換操作手段を有し、前記モード切換操作手段における選択ポジションとして前記第１のカメラ動作モードと前記第２のカメラ動作モードとは共通のポジションが割り当てられており、前記モード切換操作手段によって当該共通のポジションが選択された場合に、前記モード切換制御手段によってカメラ動作モードが決定されることを特徴としている。
【００１４】
かかる態様によれば、モード切換操作手段の選択ポジションを増やすことなく、同一のポジションを利用してレンズバリアの状態に応じてモードを切り換えることができる。
【００１５】
請求項６乃至８に記載の発明は、前記目的を達成するための方法発明を提供するものである。すなわち、請求項６に係るカメラのモード切換方法は、撮影レンズの前方を覆う閉位置と、前記撮影レンズの前方を開放する開位置との間を移動可能なレンズバリアの開閉状態を把握するとともに、外部機器と通信接続されているか否かの判定を行い、前記外部機器と通信接続されていると判定した場合に、前記把握したレンズバリアの開閉状態に応じて、２種類の異なるデバイスクラスのうち当該通信接続において動作させるデバイスクラスに対応した通信動作モードを自動的に選択するように、前記外部機器との通信接続の有無と前記レンズバリアの開閉状態に応じて通信動作モードを切り換えることを特徴としている。
【００１６】
この場合、請求項７に示したように、前記通信動作時の動作モードとして、通信接続中に撮影を実施しない第１の通信動作モードと、通信接続中に撮影を実施する第２の通信動作モードとを用意し、前記レンズバリアが閉状態のときには前記第１の通信動作モードに設定する一方、前記レンズバリアが開状態のときには前記第２の通信動作モードに設定する態様がある。
【００１７】
請求項８に係るカメラのモード切換方法は、撮影レンズの前方を覆う閉位置と、前記撮影レンズの前方を開放する開位置との間を移動可能なレンズバリアの開閉状態を把握するとともに、外部機器と通信接続されているか否かの判定を行い、前記外部機器と通信接続されていないと判定した場合において、前記レンズバリアが開状態の場合には撮影を実施し得る第１のカメラ動作モードに設定する一方、前記レンズバリアが閉状態の場合には、撮影動作を伴わずに、外部から入力される音声や文字などの情報を記録する第２のカメラ動作モードに設定するように、前記外部機器との通信接続の有無と前記レンズバリアの開閉状態に応じてカメラ動作モードを切り換えることを特徴としている。
【００１８】
【発明の実施の形態】
以下添付図面に従って本発明に係るカメラ及びそのモード切換方法の好ましい実施の形態について説明する。図１は本発明の実施形態に係るデジタルカメラの外観斜視図、図２はレンズバリアを開けた状態の正面図、図３は背面図である。これらの図面に示したように、カメラ１０の前面には、手動で開閉させるレンズバリア１１が設けられている。レンズバリア１１を閉じた状態では、ファインダー窓１４、ストロボ発光部１６、ストロボ調光センサ１８、マイク１９及びセルフタイマーランプ２０が露呈し、撮影レンズ１２はレンズバリア１１によって覆われるようになっている（図２参照）。
【００１９】
図１に示したように、カメラ上面には、電源スイッチ２２、シャッターボタン２４及びストロボ撮影のモードを切り換えるためのストロボボタン２６が配設されている。グリップ部２７となるカメラ側面と反対側の側面には、スピーカ２８、音声／映像出力端子（ラインout 端子）３０、音声出力端子を含むリモコン端子３１、デジタル（ＵＳＢ）端子３２及び電源入力端子３３が設けられている。
【００２０】
電源スイッチ２２は、モード設定スイッチとしての役割を兼ねており、図１上でツマミを右方向（オーディオモード位置）に移動する時にはロックされ、ツマミを左方向に移動する時にはロックされないスライドスイッチで構成される。ツマミを左方向に移動させる毎に「カメラモード」とカメラ内電源をＯＦＦにする「ＯＦＦモード」とが交互に設定される。
【００２１】
リモコン端子３１にはヘッドホン（イヤホン）３５付きのリモコン３６を接続することができる。リモコン３６は、再生／停止ボタン３７、送り／戻しボタン３８、音量調整ボタン３９などのスイッチ部とＬＣＤパネル４０を有し、これらスイッチ部が操作されると、操作に応じた指令信号がカメラ１０に送られ、指示に対応する処理が行われる。
【００２２】
シャッターボタン２４は２段階式に構成され、シャッターボタン２４を軽く押して止める「半押し（Ｓ1 ＝ＯＮ）」の状態で自動ピント合わせ（ＡＦ）及び自動露出制御（ＡＥ）が作動してＡＦとＡＥをロックし、「半押し」から更に押し込む「全押し（Ｓ２＝ＯＮ）」の状態で撮影が実行される。シャッターボタン２４は、静止画の記録開始の指示を与える手段であるとともに、動画の録画ボタン（録画スタート／ストップボタン）及びボイスレコーダモード下での録音ボタン（録音スタート／ストップボタン）として兼用される。
【００２３】
カメラ底面には、メモリカード（図１中不図示、図４中符号７２として記載）のスロットカバーを兼ねた電池カバー４２が設けられており、電池カバー４２の奥には図示せぬカードスロット及び電池収納室が形成されている。
【００２４】
図２に示したように、レンズバリア１１を図の左方向にスライドさせて、バリアを開状態にすると、沈胴式の撮影レンズ１２が露呈する。なお、レンズバリア１１には、滑り止め（指掛かり）用の凸部１１Ａが形成されている。
【００２５】
図３に示したように、カメラ背面には、ファインダー４８、モードダイヤル５０、十字ボタン５２、メニュー／実行キー５８、キャンセル／戻るキー６０、表示キー６２及び液晶モニタ６４等が設けられている。モードダイヤル５０は、カメラの機能（モード）を変更する手段であり、モードダイヤル５０を回動操作することにより、スチル撮影を行う撮影モード、撮影した画像を再生する再生モード、音声付き動画撮影を行うムービーモード又は画像無しの音声記録を行うボイスレコーダモードに設定できる。ムービーモードとボイスレコーダモードの選択ポジションは共通しており、レンズバリア１１の開閉状態に応じてムービーモード又はボイスレコーダモードに自動設定される。
【００２６】
十字ボタン５２は、左、右、上、下の４方向の指示を入力可能な多機能操作部であり、左キー及び右キーは、それぞれ再生モード時に１コマ逆送りボタン、１コマ順送りボタンとして機能し、上キー及び下キー５６は、再生ズーム機能や撮影時の電子ズーム機能における倍率調整用のズームキーとして用いられる。
【００２７】
また、十字ボタン５２は、メニュー／実行キー５８の押下によって表示されるメニュー画面からメニュー項目を選択したり、各メニューにおける各種設定項目の選択を指示する操作ボタンとして機能する。メニュー／実行キー５８は、各モードの通常画面からメニュー画面へ遷移させる時、或いは、選択内容の確定、処理の実行（確認）指示の時などに使用される。キャンセル／戻るキー６０は、メニューから選んだ項目の取消（キャンセル）や一つ前の操作状態に戻る時などに使用される。表示キー６２は、液晶モニタ６４をＯＮ／ＯＦＦ操作したり、再生方法や再生中のコマ番号等の表示／非表示を切り換えるための操作手段である。
【００２８】
液晶モニタ６４は、撮影時に画角確認用の電子ファインダーとして使用できるとともに、撮影した画像のプレビュー画やカメラ１０に装填されたメモリカード７２から読み出した再生画像等を表示することができる。また、十字ボタン５２を使用したメニューの選択や各メニューにおける各種設定項目の設定も液晶モニタ６４の表示画面を用いて行われる。更に、液晶モニタ６４には、撮影可能コマ数（動画については撮影可能時間）や再生コマ番号の表示、ストロボ発光の有無、マクロモード表示、記録画質（クオリティー）表示、画素数表示等の情報も表示される。
【００２９】
図４は、カメラ１０の内部構成を示したブロック図である。同図において、中央処理装置（ＣＰＵ）７０は、本カメラシステムを統括制御する制御部である。ＣＰＵ７０は、電源スイッチ２２、モードダイヤル５０、シャッターボタン２４、その他の操作部６１及びリモコン端子３１に接続されるリモコン３６（図４中不図示）等からの指示信号の入力に基づいてカメラ１０内の各回路の動作を制御する。操作部６１は、前述した十字ボタン５２、メニュー／実行キー５８、キャンセル／戻るキー６０、表示キー６２などの入力操作手段を含むブロックである。
【００３０】
ＲＯＭ８１にはＣＰＵ７０が処理するプログラム及び制御に必要な各種データ等が格納されている。ＲＡＭ８３は画像処理領域の他、ＣＰＵ７０が各種の演算処理等を行う作業用領域を有している。カメラ１０の電源は、電池６５又は電源入力端子３３に接続される図示せぬＡＣパワーアダプター等の外部電源を用いることができる。電池６５等から供給される電力は、ＤＣ／ＤＣコンバータを含む電源回路６６によって所要の電圧に変換され、各回路ブロックに電源が供給される。
【００３１】
カメラ１０には、レンズバリア１１の開閉状態を検出する検出スイッチ（以下、「開閉センサ」という。）１３が設けられ、該開閉センサ１３の検出信号はＣＰＵ７０に送られる。撮影レンズ１２は、１枚又は複数枚のレンズで構成され、単焦点レンズでもよいし、ズームレンズ等の焦点距離可変のものでもよい。撮影レンズ１２を通過した光は、図示せぬ絞りによって光量が調節された後、ＣＣＤイメージセンサ（以下、ＣＣＤという。）７４に入射する。ＣＣＤ７４の受光面には、多数のフォトセンサが平面的に配列されており、撮影レンズ１２を介してＣＣＤ７４の受光面に結像された被写体像は、各フォトセンサによって入射光量に応じた量の信号電荷に変換される。なお、ＣＣＤ７４は、シャッターゲートパルスのタイミングによって各フォトセンサの電荷蓄積時間（シャッタースピード）を制御する、いわゆる電子シャッター機能を有している。
【００３２】
このようにして蓄積された信号電荷は、その信号電荷に応じた電圧信号として順次読み出される。ＣＣＤ７４から順次読み出された電圧信号は、相関二重サンプリング回路（ＣＤＳ回路）７６に加えられ、ここで各画素ごとのＲ、Ｇ、Ｂ信号がサンプリングホールドされるともに増幅され、Ａ／Ｄ変換器７８に加えられる。Ａ／Ｄ変換器７８は、ＣＤＳ回路７６から順次加えられるＲ、Ｇ、Ｂ信号をデジタル信号に変換して画像信号処理回路８０に出力する。
【００３３】
画像信号処理回路８０は、Ａ／Ｄ変換器７８から加えられる点順次のＲ、Ｇ、Ｂ信号を同時式に変換する同時化処理、ホワイトバランス調整、ガンマ補正、輝度／色差信号処理（ＹＣ処理）等の所定の画像処理を行う。画像信号処理回路８０で処理された画像データはＲＡＭ８３に格納される。撮影画像を表示出力する場合、ＲＡＭ８３から画像データが読み出され、このデータが内部バス７１を介して画像再生処理回路８６に転送される。
【００３４】
画像再生処理回路８６に送られたデータは、画像再生処理回路８６及びビデオエンコード回路８８を介して表示用の所定方式の信号（例えば、ＮＴＳＣ方式のカラー複合映像信号）に変換された後、液晶モニタ６４に出力されるとともに、音声／映像出力端子３０に出力される。ＣＣＤ７４から出力される画像信号によってＲＡＭ８３内の画像データが定期的に書き換えられ、その画像データから生成される映像信号が液晶モニタ６４に供給されることにより、ＣＣＤ７４を介して入力する画像がリアルタイムに液晶モニタ６４に表示される。撮影者は、液晶モニタ６４に映し出される画像（スルー画）、或いはファインダー４８によって撮影画角を確認できる。
【００３５】
モードダイヤル５０により撮影モードが設定され、シャッターボタン２４が押されると（Ｓ２＝ＯＮ）、撮影開始指示（レリーズＯＮ）信号が発せられる。ＣＰＵ７０は、この指示信号の受入に呼応して、記録用の画像データの取り込みを開始する。なお、ＣＰＵ７０は、撮影動作に先立ち、シャッターボタン２４の半押し（Ｓ1 ＝ＯＮ）に応動して自動焦点調節（ＡＦ）制御及び自動露出（ＡＥ）制御を行う。すなわち、ＣＰＵ７０はＣＣＤ７４から得られる画像データに基づいて焦点評価演算やＡＥ演算などの各種演算を行い、その演算結果に基づいてレンズ駆動用モータ４５のドライバ４６を制御し、撮影レンズ１２を合焦位置に移動させる一方、図示せぬアイリス駆動部を制御して絞りを適正絞り値に設定するとともにＣＣＤ７４の電荷蓄積時間を制御する。また、ＣＰＵ７０は、必要に応じてストロボ発光制御を行う。
【００３６】
シャッターボタン２４の全押しに応動して取り込まれた画像データは、ＹＣ処理その他の所定の信号処理を経てＲＡＭ８３に格納される。ＣＰＵ７０は圧縮伸長処理回路８２にコマンドを送り、これにより圧縮伸長処理回路８２は、ＲＡＭ８３上に取り込まれた画像データ（輝度信号Ｙとクロマ信号Ｃｒ、Ｃｂ）を所定のフォーマット（例えば、JPEG方式) に従って圧縮する。圧縮されたデータは、メディアコントロール回路８４を介してメモリカード７２に記録される。
【００３７】
本例のカメラ１０では、画像データを保存する手段として、例えばスマートメディア（Solid-State Floppy Disk Card）が適用される。記録メディアの形態はこれに限定されず、ＰＣカード、コンパクトフラッシュ、磁気ディスク、光ディスク、光磁気ディスク、メモリスティックなどでもよく、電子的、磁気的、若しくは光学的、又はこれらの組み合わせによる方式に従って読み書き可能な種々の媒体を用いることができる。使用される媒体に応じた信号処理手段とインターフェースが適用される。異種、同種の記録メディアを問わず、複数の媒体を装着可能な構成にしてもよい。リムーバブルメディアに限らず、カメラ１０に内蔵された記録媒体（内部メモリ）であってもよい。
【００３８】
電源スイッチ２２によってカメラモードが設定され、モードダイヤル５０によってムービー／ボイスレコーダモードが選択された場合、ＣＰＵ７０は、開閉センサ１３からの検出信号に基づいて、ムービーモード又はボイスレコーダモードの何れか一方のモードに自動設定する。すなわち、レンズバリア１１が開状態であるときは、撮影を目的としていると判断できるためムービーモードが選択される。他方、レンズバリア１１が閉状態であるときは、画像の取り込みはできないが音声の記録は可能であるため、ボイスレコーダモードが選択される。
【００３９】
カメラ１０がムービーモードに設定されると、音声付きの動画記録が可能となる。シャッターボタン２４の押下（Ｓ2 ＝ＯＮ）によって録画動作がスタートし、もう一度シャッターボタン２４を押下（Ｓ1 ＝ＯＮ）すると録画動作が停止する。シャッターボタン２４を押下継続している期間、録画動作を行い、押下解除により録画を停止するようにしてもよい。動画データは、例えば、モーションＪＰＥＧ形式によってメモリカード７２に記録される。
【００４０】
カメラ１０がボイスレコーダモードに設定されると音声記録が可能となる。シャッターボタン２４の全押し（Ｓ2 ＝ＯＮ）で録音を開始し、その後シャッターボタン３０の半押し（Ｓ1 ＝ＯＮ）で録音を停止する。これにより、シャッターボタン３０の操作音が記録されないようになっている。マイク１９を介して入力された音声情報は、音声処理回路９０に入力される。音声処理回路９０は、入力した音声信号をデジタル信号に変換するとともに、所定のファイル形式（例えば、WAVE形式) に変換する。こうして得られた音声データは、メディアコントロール回路８４を介してメモリカード７２に記録される。
【００４１】
電源スイッチ２２によってカメラモードが設定され、モードダイヤル５０によって再生モードが選択されると、メモリカード７２に記録されている最終コマのファイルがメディアコントロール回路８４を介して読み出される。最終コマのファイルが静止画ファイルの場合、この読み出された画像ファイルの圧縮データは、圧縮伸長処理回路８２を介して非圧縮のＹＣ信号に伸長される。
【００４２】
伸長されたＹＣ信号は、画像再生処理回路８６及びビデオエンコード回路８８を介して表示用の信号に変換され、液晶モニタ６４に出力されるとともに、音声／映像出力端子３０に出力される。これにより、液晶モニタ６４にはメモリカード７２に記録されている最終コマのコマ画像が表示され、また、音声／映像出力端子３０にテレビ受像機（不図示）が接続されている場合には、テレビ受像機に最終コマのコマ画像が表示される。
【００４３】
その後、十字ボタン５２の右キーが押されると、順方向にコマ送りされ、左キーが押されると、逆方向にコマ送りされる。そして、コマ送りされたコマ位置の画像ファイルがメモリカード７２から読み出され、上記と同様にしてコマ画像が液晶モニタ６４に再生される。最終コマのコマ画像が表示されている状態で順方向にコマ送りされると、メモリカード７２に記録されている第１コマ目の画像ファイルが読み出され、１コマ目のコマ画像が液晶モニタ６４やテレビ受像機その他の画像表示装置に再生される。
【００４４】
再生対象ファイルが動画ファイルの場合には、動画の先頭コマが代表画像として表示され、動画再生開始の指示を受け付ける画面になる。また、再生対象ファイルが音声ファイル（ボイスレコーダモードで録音した音声ファイル）の場合には、液晶モニタ６４上に音声ファイルであることを示す所定の図像（例えば、マイクがデザインされたビットマップ背景絵）が表示され、音声再生開始の指示を受け付ける画面になる。音声再生開始の指示を入力すると、メモリカード７２から音声ファイルが読み出され、音声処理回路９０により音声信号に変換された後、スピーカ２８又はリモコン端子３１に接続されるヘッドホン３５を介して音声として出力される。
【００４５】
カメラ１０のオーディオ再生機能は、メモリカード７２に記録されているＭＰ３（MPEG-1 Audio Layer-III）フォーマットなどの音楽ファイルを再生する機能である。音楽ファイルは、パソコンや音楽配信端末等から直接、又はＵＳＢ端子３２を介してメモリカード７２内にダウンロードされているものとする。
【００４６】
電源スイッチ２２によってオーディオモードが設定され、リモコン端子３１にヘッドホン３５付きのリモコン３６が接続されていると、カメラ内電源がＯＮとなり、オーディオ再生が可能となる。カメラ１０がオーディオモードに設定された状態でリモコン３６の再生ボタン３７が押されると、メディアコントロール回路８４を介してメモリカード７２から音楽ファイルが読み出される。
【００４７】
メモリカード７２から読み出された音楽ファイルの圧縮データは、圧縮伸長処理回路８２を介して非圧縮の音楽データに伸長される。この伸長された音楽データは、音声処理回路９０において音声信号に変換された後、スピーカ２８又はリモコン端子３１に接続されるヘッドホン３５を介して音声として出力される。なお、音声処理回路９０における処理内容（ボイスレコーダモードの録音／再生処理、音楽ファイルの再生処理など）は、ＣＰＵ７０からの切換信号に従って切り換えられる。
【００４８】
次に、カメラ１０の通信インターフェースについて説明する。このカメラ１０は、パソコン（ＰＣ）その他の外部機器との間でデータの送受信を行うための手段として、ＵＳＢコントローラ８５及びＵＳＢ端子３２を有している。図示せぬＵＳＢケーブルを用いてカメラ１０とパソコン等を接続することにより、両者間でデータの受け渡しが可能になる。
【００４９】
カメラ１０は、ＵＳＢ接続された場合に、２種類の異なるデバイスクラスの機器として振る舞い得る。すなわち、カメラ１０内のメモリカード７２を読み書きするカードリーダとして機能するストレージモードと、テレビ会議などに利用できるように撮影中の映像信号をリアルタイムで送出するＰＣカメラとして機能するＰＣカメラモードと、を有し、ＵＳＢ接続時のレンズバリア１１の状態に応じてＵＳＢモードが自動的に切り換えられるようになっている。
【００５０】
図５は、上記の如く構成されたカメラ１０の制御手順を示すフローチャートである。カメラ１０の電源がＯＮすると（ステップＳ１００）、初期化処理（立ち上げ準備）が行われる（ステップＳ１１０）。この初期化処理には、ＲＯＭ８１に格納されている制御プログラムをＲＡＭ８３に展開する処理や各種設定値の初期化などの処理が含まれる。
【００５１】
初期化処理（立ち上げ準備）を完了した後、ステップＳ１２０に進み、ＵＳＢ接続されているか否かの判定を行う。ＵＳＢ接続されている場合（ＹＥＳ判定時）は、ステップＳ１３０に進む。ステップＳ１３０では、開閉センサ１３からの検出信号に基づいて、レンズバリア１１が開状態であるか否かの判定を行う。
【００５２】
レンズバリア１１が開状態である場合（ＹＥＳ判定時）は、ＰＣカメラとして動作させるために必要な初期処理を行う（ステップＳ１３２）。この初期処理には、カメラの立ち上げ準備として、電源処理、ＣＣＤ７４の駆動準備、撮影レンズ１２の繰り出し処理等が含まれる。ステップＳ１３２において必要な処理を完了すると、カメラ１０はＰＣカメラモードで立ち上がり（ステップＳ１３４）、動作可能な状態となる。
【００５３】
ステップＳ１３０においてレンズバリア１１が閉状態である場合（ＮＯ判定時）は、ステップＳ１４０に進み、ストレージモードで動作させるために必要な初期処理を行う。ステップＳ１４０において必要な処理を完了した後、カメラ１０はストレージモードで立ち上がり（ステップＳ１４２）、動作可能な状態となる。
【００５４】
ステップＳ１２０においてＵＳＢ接続されていなければ（ＮＯ判定時）、カメラ単体としての立ち上げ処理を行い（ステップＳ１２２）、選択されているモードに従ってカメラ１０が利用可能な状態となる（ステップＳ１２４）。こうして、カメラ単体で立ち上げを行った後も、ＵＳＢ接続の有無を監視しており（ステップＳ１２６）、ＵＳＢ接続されていなければ（ＮＯ判定時）、ステップＳ１２２に戻ってカメラ状態を維持するが、ステップＳ１２６においてＵＳＢ接続されているとの判定を得た場合（ＹＥＳ判定時）には、ステップＳ１３０に移行して、レンズバリア１１の状態に応じてＵＳＢモードが自動設定される。
【００５５】
図６は、モードダイヤル５０によって選択されるカメラモードの設定処理に関するフローチャートである。この処理がスタートすると、まず、ＣＰＵ７０は、モードダイヤル５０の状態を読み込む処理を行う（ステップＳ２１０）。次いで、読み込んだモードダイヤル５０の状態に基づいて、選択されているモードの判別を行う（ステップＳ２２０）。ステップＳ２２０では、撮影モードが選択されているか否かの判定を行い、撮影モードが選択されている場合（ＹＥＳ判定時）は、ステップＳ２２２へ進み、カメラ１０を撮影モードにセットする。
【００５６】
ステップＳ２２０においてＮＯ判定を得た場合は、ステップＳ２３０に進む、再生モードが選択されているか否かの判定を行う。ステップＳ２３０において再生モードが選択されている場合（ＹＥＳ判定時）は、ステップＳ２３２へ進み、カメラ１０を再生モードにセットする。
【００５７】
ステップＳ２３０においてＮＯ判定を得た場合は、モードダイヤル５０がムービー／ボイスレコーダモードの選択位置に合わされていることを意味している。この場合は、ステップＳ２４０に進み、開閉センサ１３の検出信号を読み込む処理を行う。次いで、読み込んだ検出信号に基づいて、レンズバリア１１が開状態であるか否かの判定を行う（ステップＳ２５０）。
【００５８】
レンズバリア１１が開状態である場合（ＹＥＳ判定時）は、カメラ１０をムービーモードにセットする（ステップＳ２５２）。他方、ステップＳ２５０においてレンズバリア１１が閉状態である場合（ＮＯ判定時）は、カメラ１０をボイスレコーダモードにセットする（ステップＳ２５４）。このように、レンズバリア１１の状態に応じてカメラモードが自動的に設定される。
【００５９】
図７は、カメラ１０がムービーモードに設定された場合の液晶モニタ６４の画面例である。同図に示すように、ムービーモードの録画待機状態（スタンバイ状態）の画面は、ＣＣＤ７４が捉える映像とともに、画面左上にムービーモードであることを示すモード情報９１が表示され、画面中央やや上の部分には待機状態であることを示す「スタンバイ」という文字情報９２が表示される。また、画面右上には録画可能時間の情報９３が表示される。本例のカメラ１０は、１回の撮影で最大８０秒の音声付き動画を録画できるものとする。なお、メモリカード７２の残容量が不足すると、それに応じて録画可能時間も少なくなる。
【００６０】
図７に示した録画スタンバイ状態でシャッターボタン２４を全押し（Ｓ２＝ＯＮ）操作すると、動画記録がスタートする。シャッターボタン２４は録画停止キーを兼ねており、シャッターボタン２４を２回目に押したとき（Ｓ1 ＝ＯＮ時）に撮影終了となり、取り込み画像がメモリカード７２に書き込まれる。カード記録中は液晶モニタ６４画面中に「カードに保存中」という文字が表示され、メモリカード７２への書き込み（画像の保存）処理が終了したら、図７のスタンバイ状態に戻る。
【００６１】
図８は、カメラ１０がボイスレコーダモードに設定された場合の液晶モニタ６４の画面例である。同図に示すように、ボイスレコーダモードの録音待機状態（スタンバイ状態）の画面は、マイクを図案化した図像９４が背景画として表示され、画面左上にはボイスレコーダモードである旨を示すモード情報９５が表示される。画面右上には録音可能時間（時：分：秒）の情報９６が表示され、画面中央のやや上の部分には録音待機状態であることを示す「スタンバイ」という文字情報９７が表示される。また、画面中央やや下寄りの位置には録音時間（時：分：秒）の情報９８が表示され、画面最下段には、録音→〔シャッター〕という操作案内９９が表示されている。
【００６２】
ボイスレコーダモードの場合、録音開始／停止の指示はシャッターボタン２４によって入力する。操作案内９９に従ってスタンバイ中にシャッターボタン２４の全押し操作（Ｓ2 ＝ＯＮ）を行うことで録音が開始される。録音が開始されると、液晶モニタ６４上に「録音中」という文字が表示され、録音内容はリアルタイムにメモリカード７２に書き込まれていく。録音処理の進行に伴い、録音時間の表示（符号９８）や記録可能時間の表示（符号９６）が変化する。
【００６３】
録音中にシャッターボタン２４の半押し操作（Ｓ1 ＝ＯＮ）を行うことで録音が停止し、図８に示したスタンバイ状態に戻る。ボイスレコーダモードによって録音された音声のファイルには、撮影画像と重複しないファイル番号と、拡張子「.WAV」からなるファイル名が自動付与されて、メモリカード７２に格納される。
【００６４】
上記した実施形態のカメラ１０によれば、レンズバリア１１の開閉状態を検出し、その検出結果に従い、レンズバリア１１が開いている時はＵＳＢ接続時の動作モードとしてＰＣカメラモードに設定する一方、レンズバリア１１が閉じている時はストレージモードに設定するようにモードの切り換えを自動化したので、ユーザ操作の簡略化を達成できる。
【００６５】
また、ＵＳＢ接続時の動作モードに限らず、カメラ動作モードについても、ムービーモードとボイスレコーダモードに関してモードダイヤル５０のポジションを共用し、レンズバリア１１が開いている時はムービーモードに設定する一方、レンズバリア１１が閉じている場合はボイスレコーダモードに設定するようにモード切り換えを自動化している。これにより、モードダイヤル５０のポジションを増やすことなく、同一ポジションでレンズバリア１１の状態に応じたモード切り換えが可能となる。
【００６６】
上記実施の形態では、手動式のレンズバリア１１を用いたが、モータなどの電動駆動手段を利用する電動式のレンズバリアを用いる態様も可能である。この場合、電動駆動手段に動作指令信号を出力する制御部（ＣＰＵ）は、レンズバリアの状態を認識できるため、制御部がレンズバリアの状態を検出する検出手段の役割を兼ねる態様も可能であり、開閉センサを省略できる。
【００６７】
また、電動式レンズバリアを適用したカメラの場合、モードダイヤルによって撮影モードが選択されている状態でパワーＯＮした場合には、レンズバリアを開放動作させるとともに、ＵＳＢ動作モードをＰＣカメラモードに設定するように制御する一方、再生モードが選択されている状態でパワーＯＮした場合には、レンズバリアを閉状態とするとともに、カメラをストレージモードに設定するように制御する態様がある。この場合、モードダイヤルの位置によってレンズバリアの開閉状態が切り換わるため、モードダイヤルがレンズバリアの状態を検出する検出手段に相当するものとなる。
【００６８】
更に、この態様を応用すれば、レンズバリアの有無によらず、撮影モードで立ち上げた時はＰＣカメラモードに設定され、再生モードで立ち上げた時はストレージモードに設定されるようにＵＳＢ動作モードを自動切換する制御方法も可能である。また、カメラ立ち上げ後にも、撮影モードと再生モードの切り換えに合わせて、ＰＣカメラモードとストレージモードの設定を切り換えるように制御してもよい。ただし、ＵＳＢ接続中に途中でＵＳＢ動作モードが変更されることは制御上好ましくないので、ＵＳＢ接続状態においてはＵＳＢ動作モードの切り換えを禁止し、ＵＳＢ接続が成立した時点で設定されているＵＳＢ動作モードを維持するように制御するものとする。
【００６９】
上記実施の形態では、ＵＳＢ接続時の動作モードの自動切換について説明したが、通信インターフェースはＵＳＢに限定されず、IEEE1394その他のインターフェースを適用してもよい。
【００７０】
上記実施の形態では、カメラの記録モードのうち、ムービーモードとボイスレコーダモードについてモードダイヤル５０のポジションを共用し、レンズバリア１１の状態に応じてこれらを自動的に切り換える例を説明したが、切換対象とするモードはこれらに限定されない。撮影を実施して画像を記録するモードと、撮影を実施せずに音声や文字など撮影画像以外の情報を記録するモードとをレンズバリアの状態に応じて自動的に切り換えればよく、静止画の撮影モードとボイスレコーダモードを切り換える態様も可能であるし、カメラが手書き文字やキー入力された文字等の文書情報を保存する機能を有する場合は、かかる文書記録モードと撮影モードを切り換える態様などが可能である。
【００７１】
【発明の効果】
以上説明したように本発明に係るカメラ及びそのモード切換方法によれば、レンズバリアの開閉状態を把握して、通信動作モードや記録モードを自動的に切り換えるようにしたので、ユーザ操作の簡略化を達成できるとともに、撮影の実施の有無に合わせてカメラを適正な動作モードに設定することができる。
【図面の簡単な説明】
【図１】本発明の実施形態に係るデジタルカメラの外観斜視図
【図２】図１に示したカメラのレンズバリア開状態を示す正面図
【図３】図１に示したカメラの背面図
【図４】本例のデジタルカメラの内部構成を示すブロック図
【図５】本例のカメラにおける制御手順を示すフローチャート
【図６】本例のカメラにおけるカメラモードの設定処理に関するフローチャート
【図７】ムービーモードに設定された場合の録画スタンバイ状態の画面例を示す図
【図８】ボイスレコーダモードに設定された場合の録音スタンバイ状態の画面例を示す図
【符号の説明】
１０…カメラ、１１…レンズバリア、１２…撮影レンズ、１３…開閉センサ、１４…ファインダー窓、１９…マイク、２４…シャッターボタン、２８…スピーカ、３２…ＵＳＢ端子、３５…ヘッドホン、３６…リモコン、５０…モードダイヤル、５２…十字ボタン、５８…メニュー／実行キー、６４…液晶モニタ、７０…ＣＰＵ、７２…メモリカード、７４…ＣＣＤ、８０…画像信号処理回路、９０…音声処理回路
【図１】
0004565276.tif 000002
【図２】
0004565276.tif 000003
【図３】
0004565276.tif 000004
【図４】
0004565276.tif 000005
【図５】
0004565276.tif 000006
【図６】
0004565276.tif 000007
【図７】
0004565276.tif 000008
【図８】
0004565276.tif 000009